【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】  加圧導管と還流導管を有する洗浄装置を、潤滑油通路とそれぞれ連通するエンジンの入り口ポートと出口ポートに連結することによって、内燃エンジンの前記潤滑油通路を洗浄するエンジン洗浄システムであって、
前記エンジン洗浄システムは、
ポンプと、洗浄液を保有するタンクと、エンジンの潤滑油通路を循環した後の洗浄液からスラッジその他の汚染物を除去するための少なくとも１つの濾過デバイスとを有する洗浄装置と、
還流導管を前記エンジンの出口ポートに連結するための第１のアダプタアセンブリーと、
加圧導管を前記エンジンの入口ポートに連結するための第２のアダプタアセンブリーと、を有し、
前記第１および第２のアダプタアセンブリーの各々は、
前記エンジンの両ポートのうちの対応する１つと整合するように選択されたねじ切り部を有する特別な連結部分と、前記洗浄装置の両導管のうちの対応する１つに接続される連結部材と適切に係合する１つのユニバーサルな連結部分とを含む特別な嵌合部材と、
特別な嵌合部材と対応する洗浄装置の導管とを液体連通状態に一緒に接続するための対応する特別な嵌合部材のユニバーサルな連結部分と適切に整合するユニバーサルな連結部分を備える、
ユニバーサルな嵌合部材とを有するシステム。
【請求項２】  前記の特別な嵌合部材は、知られた様々な自動車エンジンのすべてにそれぞれ嵌合するように組み立てられた複数の特別な嵌合部材を含むキットの一部である請求項１記載のシステム。
【請求項３】  前記洗浄装置は更に、ポンプに連結された制御部材を有しており、前記制御部材は、制御部材に供給される機能的命令にしたがってポンプを作動させる請求項１記載のシステム。
【請求項４】  前記少なくとも１つの濾過デバイスは、洗浄装置の液体導管と直列に連結されたフィルターを有する請求項３記載のシステム。
【請求項５】  前記第１のアダプタアセンブリーは、そのために特定されたエンジン出口ポートと整合するねじ切り部を備える特別の嵌合部材を有する請求項１記載の装置。
【請求項６】  第１のアダプタアセンブリーのための特別な嵌合部材は、それぞれ、洗浄装置の還流導管に連結するためのユニバーサルな嵌合部材を適切に受け入れるための内側のねじが切られたボアを備えている請求項５記載のシステム。
【請求項７】  第２のアダプタアセンブリーは、特別な内燃エンジンの入口ポートと適切に整合して係合する特別な連結部分を有する特別な嵌合部材を含む請求項１記載のシステム。
【請求項８】  前記入口ポートは、エンジンオイルフィルターをマウントするアセンブリーを有する請求項７記載のシステム。
【請求項９】  第２のアダプタアセンブリーは、前記諸部材を一緒に釈放可能にロックする構造をなすバヨネット型連結部材を含む請求項８記載のシステム。
【請求項１０】  第２のアダプタアセンブリーの前記ユニバーサルな連結部材は、オイルフィルター基板とシール関係をなして前記のユニバーサルな嵌合部材をマウントするための外周面のＯリングを含む請求項９記載のシステム。
【請求項１１】  第２のアダプタアセンブリーは更に、ユニバーサルな部材のＯリングとのシールを提供するための横断方向のフラットな表面を有するシリンダー状のスペーサ部材を含んでおり、
前記スペーサ部材は、更に、前記の横断方向のフラットな表面から離れた面内にオイルフィルターの基板に対して液密シールを確立するための外周のＯリングを含んでいる請求項１０記載のシステム。
【請求項１２】  前記第１のアダプタアセンブリーの前記特別な嵌合部材は、特別に適合される自動車のエンジン出口ポートにねじ込まれる大きさの外側ねじ切り部を備える小直径部分と、前記ユニバーサルな嵌合部材をねじ部で係合したシールされた連通状態で整合して受け入れる大きさの内側のねじが切られたボアを有する大直径部分とを有するねじが切られた第１の部材を有する請求項１記載のシステム。
【請求項１３】  前記のユニバーサルな嵌合部材は、隣接するＯリングをマウントするための外周部分を有する直角の鉤(harb)付き嵌合部材を受け入れる形態をしており、前記外周部分は、直角の鉤付き嵌合部材の環状溝内部に組み込まれるばねクリップによって回転部材内部に固定されている請求項１２記載のシステム。
【請求項１４】  前記回転可能な部材は、特別な嵌合部材の内側のねじが切られたボアと整合して係合する大きさである外側にねじが切られた延出部分を含む請求項１３記載のシステム。
【請求項１５】  前記の回転可能な部材は、前記特別な嵌合部材で連結部材をシールするためのＯリングをマウントするための、前記の延出する外側のねじ切り部に隣り合う前記部材の面内に環状溝を有する請求項１４記載のシステム。
【請求項１６】  加圧導管と還流導管とを有する洗浄装置を、内燃エンジンの潤滑油通路と連通するエンジン入口ポートと出口ポートにそれぞれ連結することによって、内燃エンジンの潤滑油通路を洗浄するエンジン洗浄システムにおいて使用するための第１のアダプタアセンブリーであって、
前記第１のアダプタアセンブリーは、
還流導管を前記エンジン出口ポートに連結するための連結手段を含んでおり、
前記連結手段は、前記エンジンの出口ポートと整合するように選択されたねじ切り部を有する第１のねじ切り部分と、前記洗浄装置の還流導管に連結するためのユニバーサルなねじ切り部を有する第２のねじ切り部分とを含む特別な嵌合部材と、
特別な嵌合部材と洗浄装置の還流導管を連通状態で一緒に連結するための前記特別な嵌合部材のユニバーサルなねじ切り部分と適切に整合するユニバーサルなねじ切り部分を有するユニバーサルな嵌合部材とを有するアダプタアセンブリー。
【請求項１７】  前記連結手段の特別な嵌合部材は、それに対して特別に適合される自動車エンジンのクランクケースのドレーンプラグポートにねじ込まれる大きさの外側のねじ切り部を備える小直径部分と、前記ユニバーサルな嵌合部材をねじ部で係合されシールされた連通状態で整合して受け入れる大きさである内側にねじが切られたボアをを有する大直径部分とを有する第１のねじ部付き部材を有する請求項１６記載のアダプタアセンブリー。
【請求項１８】  前記のユニバーサルな嵌合部材は、隣接するＯリングをマウントするための外周部分を有する直角の鉤(harb)付き嵌合部材を受け入れる形態をしており、前記外周部分は、直角の鉤付き嵌合部材の環状溝内部に組み込まれるばねクリップによって回転部材内部に固定されている請求項１７記載のアダプタアセンブリー。
【請求項１９】  前記回転可能な部材は、特別な嵌合部材の内側のねじが切られたボアと整合して係合する大きさである外側にねじが切られた延出部分を含む請求項１８記載のアダプタアセンブリー。
【請求項２０】  前記の回転可能な部材は、前記特別な嵌合部材で連結部材をシールするためのＯリングをマウントするための、前記の延出する外側のねじ切り部に隣り合う前記部材の面内に環状溝を有する請求項１９記載のアダプタアセンブリー。
【請求項２１】  前記連結手段は、そのために特定されるエンジンのドレーンプラグポート内のねじが切られた開口部と整合するねじ部付き部分を備える特別な嵌合部材を有する請求項１６記載のアダプタアセンブリー。
【請求項２２】  前記の特別な嵌合部材は、知られた様々な自動車エンジンのすべてにそれぞれ嵌合するように組み立てられた複数の特別な嵌合部材を含むキットの一部である請求項２１記載のアダプタアセンブリー。
【請求項２３】  前記特別な嵌合部材の各々は、洗浄装置の還流導管に連結するためのユニバーサルな嵌合部材を適切に受け入れる内側にねじが切られたボアを備える請求項２２記載のアダプタアセンブリー。
【請求項２４】  加圧導管と還流導管とを有する洗浄装置を、内燃エンジンの潤滑油通路と連通するエンジン入口ポートと出口ポートにそれぞれ連結することによって、内燃エンジンの潤滑油通路を洗浄するエンジン洗浄システムにおいて使用するためのアダプタアセンブリーであって、
前記アダプタアセンブリーは、
加圧導管を前記エンジンの入口ポートに連結するための連結手段を含んでおり、前記連結手段は、前記エンジンの入口ポートと整合するように特定されたねじ切り部を有する第１のねじ付き部分を含む特別な嵌合部材と、前記洗浄装置の加圧導管に連結するためのユニバーサルなバヨネット型コネクタ部分を含むユニバーサルな連結部分を含み、
１つのユニバーサルな嵌合部材は、特別の嵌合部材と洗浄装置の加圧導管とを連通状態で一緒に接続するための前記特別な嵌合部材のバヨネット型コネクタ部分に適切に接続するためのユニバーサルなバヨネット型コネクタ部分を有するユニバーサルな嵌合部材を有するアダプタアセンブリー。
【請求項２５】  前記特別な嵌合部材は、特定の内燃エンジンの入口ポートと適切に整合して係合する連結部分を有する請求項２４記載のアダプタアセンブリー。
【請求項２６】  前記入口ポートは、エンジンオイルフィルターのマウントアセンブリーを有する請求項２５記載のアダプタアセンブリー。
【請求項２７】  ユニバーサルなバヨネット型コネクタ部分は、前記嵌合部材を一緒に釈放可能にロックする構造をなす請求項２６記載のアダプタアセンブリー。
【請求項２８】  前記のユニバーサルな嵌合部材は、オイルフィルター基板とシール関係をなして前記のユニバーサルな嵌合部材をマウントするための外周面のＯリングを含む請求項２７記載のアダプタアセンブリー。
【請求項２９】  更に、ユニバーサルな部材のＯリングとのシールを提供するための横断方向のフラットな表面を有するシリンダー状のスペーサ部材を含んでおり、
前記スペーサ部材は、更に、前記の横断方向のフラットな表面から離れた面内にオイルフィルターの基板に対して液密シールを確立するための外周のＯリングを含んでいる請求項２８記載のアダプタアセンブリー。